【手続補正書】
【提出日】平成28年3月29日(2016.3.29)
【手続補正１】
【補正対象書類名】特許請求の範囲
【補正対象項目名】全文
【補正方法】変更
【補正の内容】
【特許請求の範囲】
【請求項１】
インクを吐出するための熱エネルギーを発生するヒータと温度を検出する温度センサとを有する記録ヘッドと、
前記ヒータを駆動する駆動手段と、
前記駆動手段によりインクを吐出させるための第１印加電圧を印加して前記ヒータを駆動した後に、インクの吐出を生じない程度の第２印加電圧を印加して前記ヒータを駆動するよう制御する制御手段と、
前記第２印加電圧を印加する前の第１の時刻に前記温度センサによって検出された第１の温度と前記第２印加電圧を印加した後の第２の時刻に前記温度センサによって検出された第２の温度との差分値を第１の閾値と比較する比較手段と、
前記差分値が前記第１の閾値より大きい場合には吐出不良と判定し、前記差分値が前記第１の閾値以下の場合には正常吐出と判定する判定手段とを有することを特徴とする記録装置。
【請求項２】
インクを吐出するための熱エネルギーを発生するヒータと温度を検出する温度センサとを有する記録ヘッドと、
前記ヒータを駆動する駆動手段と、
前記駆動手段によりインクを吐出させるための第１印加電圧を印加して前記ヒータを駆動した後に、インクの吐出を生じない程度の第２印加電圧を印加して前記ヒータを駆動するよう制御する制御手段と、
前記第２印加電圧を印加する前の第１の時刻に前記温度センサによって検出された第１の温度と前記第２印加電圧を印加した後の第２の時刻に前記温度センサによって検出された第２の温度との比率を第２の閾値と比較する比較手段と、
前記比率が前記第２の閾値より大きい場合には吐出不良と判定し、前記比率が前記第２の閾値以下の場合には正常吐出と判定する判定手段とを有することを特徴とする記録装置。
【請求項３】
インクを吐出するための熱エネルギーを発生するヒータと温度を検出する温度センサとを有する記録ヘッドと、
前記ヒータを駆動する駆動手段と、
前記駆動手段によりインクを吐出させるための第１印加電圧を印加して前記ヒータを駆動した後に、インクの吐出を生じない程度の第２印加電圧を印加して前記ヒータを駆動するよう制御する制御手段と、
前記第２印加電圧を印加した後の第１の時刻より、前記温度センサにより検出される温度の変化の特徴点が判断できる第２の時刻まで、前記温度センサにより検出された温度を記録する記録手段と、
前記記録手段により記録された前記温度センサにより検出された温度の時間に関する一階微分値を演算する演算手段と、
前記一階微分値と第３の閾値とを比較する比較手段と、
前記一階微分値が前記第３の閾値より大きい場合には正常吐出と判定し、前記一階微分値が前記第３の閾値以下の場合には吐出不良と判定する判定手段とを有することを特徴とする記録装置。
【請求項４】
インクを吐出するための熱エネルギーを発生するヒータと温度を検出する温度センサとを有する記録ヘッドと、
前記ヒータを駆動する駆動手段と、
前記駆動手段によりインクを吐出させるための第１印加電圧を印加して前記ヒータを駆動した後に、インクの吐出を生じない程度の第２印加電圧を印加して前記ヒータを駆動するよう制御する制御手段と、
前記第２印加電圧を印加した後の第１の時刻より、前記温度センサにより検出される温度の変化の特徴点が判断できる第２の時刻まで、前記温度センサにより検出された温度を記録する記録手段と、
前記記録手段により記録された前記温度センサにより検出された温度の時間に関する二階微分値を演算する演算手段と、
前記二階微分値と第４の閾値とを比較する比較手段と、
前記二階微分値が前記第４の閾値より大きい場合には正常吐出と判定し、前記二階微分値が前記第４の閾値以下の場合には吐出不良と判定する判定手段とを有することを特徴とする記録装置。
【請求項５】
前記特徴点は、インクの正常吐出と吐出不良の違いが前記温度センサにより検出された温度の変化に現れる点であることを特徴とする請求項３又は４に記載の記録装置。
【請求項６】
前記記録ヘッドにはインクを吐出するための複数のノズルに対応して複数の前記ヒータが設けられており、
前記複数のヒータそれぞれに対応して、前記温度センサが設けられていることを特徴とする請求項１乃至５のいずれか１項に記載の記録装置。
【請求項７】
前記制御手段により前記第２印加電圧を印加することと、前記判定手段により判定することとは、前記複数のノズルぞれぞれに対して行われることを特徴とする請求項６に記載の記録装置。
【請求項８】
前記記録ヘッドはフルライン記録ヘッドであることを特徴とする請求項７に記載の記録装置。
【請求項９】
前記記録ヘッドを搭載するキャリッジを往復走査する走査手段をさらに有することを特徴とする請求項７に記載の記録装置。
【請求項１０】
インクを吐出するための熱エネルギーを発生するヒータと温度を検出する温度センサとを有する記録ヘッドと前記ヒータを駆動する駆動手段とを備えた記録装置のインク吐出状態判定方法であって、
前記駆動手段によりインクを吐出させるための第１印加電圧を印加して前記ヒータを駆動した後に、インクの吐出を生じない程度の第２印加電圧を印加して前記ヒータを駆動するよう制御する制御工程と、
前記第２印加電圧を印加する前の第１の時刻に前記温度センサによって検出された第１の温度と前記第２印加電圧を印加した後の第２の時刻に前記温度センサによって検出された第２の温度との差分値を第１の閾値と比較する比較工程と、
前記差分値が前記第１の閾値より大きい場合には吐出不良と判定し、前記差分値が前記第１の閾値以下の場合には正常吐出と判定する判定工程とを有することを特徴とするインク吐出状態判定方法。
【請求項１１】
インクを吐出するための熱エネルギーを発生するヒータと温度を検出する温度センサとを有する記録ヘッドと前記ヒータを駆動する駆動手段とを備えた記録装置のインク吐出状態判定方法であって、
前記駆動手段によりインクを吐出させるための第１印加電圧を印加して前記ヒータを駆動した後に、インクの吐出を生じない程度の第２印加電圧を印加して前記ヒータを駆動するよう制御する制御工程と、
前記第２印加電圧を印加する前の第１の時刻に前記温度センサにより検出された第１の温度と前記第２印加電圧を印加した後の第２の時刻に前記温度センサにより検出された第２の温度との比率を第２の閾値と比較する比較工程と、
前記比率が前記第２の閾値より大きい場合には吐出不良と判定し、前記比率が前記第２の閾値以下の場合には正常吐出と判定する判定工程とを有することを特徴とするインク吐出状態判定方法。
【請求項１２】
インクを吐出するための熱エネルギーを発生するヒータと温度を検出する温度センサとを有する記録ヘッドと前記ヒータを駆動する駆動手段とを備えた記録装置のインク吐出状態判定方法であって、
前記駆動手段によりインクを吐出させるための第１印加電圧を印加して前記ヒータを駆動した後に、インクの吐出を生じない程度の第２印加電圧を印加して前記ヒータを駆動するよう制御する制御工程と、
前記第２印加電圧を印加した後の第１の時刻より、前記温度センサにより検出される温度の変化の特徴点が判断できる第２の時刻まで、前記温度センサにより検出された温度を記録する記録工程と、
前記記録工程において記録された前記温度センサにより検出された温度の時間に関する一階微分値を演算する演算工程と、
前記一階微分値と第３の閾値とを比較する比較工程と、
前記一階微分値が前記第３の閾値より大きい場合には正常吐出と判定し、前記一階微分値が前記第３の閾値以下の場合には吐出不良と判定する判定工程とを有することを特徴とするインク吐出状態判定方法。
【請求項１３】
インクを吐出するための熱エネルギーを発生するヒータと温度を検出する温度センサとを有する記録ヘッドと前記ヒータを駆動する駆動手段とを備えた記録装置のインク吐出状態判定方法であって、
前記駆動手段によりインクを吐出させるための第１印加電圧を印加して前記ヒータを駆動した後に、インクの吐出を生じない程度の第２印加電圧を印加して前記ヒータを駆動するよう制御する制御工程と、
前記第２印加電圧を印加した後の第１の時刻より、前記温度センサにより検出される温度の変化の特徴点が判断できる第２の時刻まで、前記温度センサにより検出された温度を記録する記録工程と、
前記記録工程において記録された前記温度センサにより検出された温度の時間に関する二階微分値を演算する演算工程と、
前記二階微分値と第４の閾値とを比較する比較工程と、
前記二階微分値が前記第４の閾値より大きい場合には正常吐出と判定し、前記二階微分値が前記第４の閾値以下の場合には吐出不良と判定する判定工程とを有することを特徴とするインク吐出状態判定方法。
【手続補正２】
【補正対象書類名】明細書
【補正対象項目名】００１２
【補正方法】変更
【補正の内容】
【００１２】
即ち、インクを吐出するための熱エネルギーを発生するヒータと温度を検出する温度センサとを有する記録ヘッドと、前記ヒータを駆動する駆動手段と、前記駆動手段によりインクを吐出させるための第１印加電圧を印加して前記ヒータを駆動した後に、インクの吐出を生じない程度の第２印加電圧を印加して前記ヒータを駆動するよう制御する制御手段とを有することを前提とし、（１）前記第２印加電圧を印加する前の第１の時刻に前記温度センサによって検出された第１の温度と前記第２印加電圧を印加した後の第２の時刻に前記温度センサによって検出された第２の温度との差分値を第１の閾値と比較する比較手段と、前記差分値が前記第１の閾値より大きい場合には吐出不良と判定し、前記差分値が前記第１の閾値以下の場合には正常吐出と判定する判定手段とを有することを特徴とするか、又は、（２）前記第２印加電圧を印加する前の第１の時刻に前記温度センサによって検出された第１の温度と前記第２印加電圧を印加した後の第２の時刻に前記温度センサによって検出された第２の温度との比率を第２の閾値と比較する比較手段と、前記比率が前記第２の閾値より大きい場合には吐出不良と判定し、前記比率が前記第２の閾値以下の場合には正常吐出と判定する判定手段とを有することを特徴とするか、又は、（３）前記第２印加電圧を印加した後の第１の時刻より、前記温度センサにより検出される温度の変化の特徴点が判断できる第２の時刻まで、前記温度センサにより検出された温度を記録する記録手段と、前記記録手段により記録された前記温度センサにより検出された温度の時間に関する一階微分値を演算する演算手段と、前記一階微分値と第３の閾値とを比較する比較手段と、前記一階微分値が前記第３の閾値より大きい場合には正常吐出と判定し、前記一階微分値が前記第３の閾値以下の場合には吐出不良と判定する判定手段とを有することを特徴とするか、又は、（４）前記第２印加電圧を印加した後の第１の時刻より、前記温度センサにより検出される温度の変化の特徴点が判断できる第２の時刻まで、前記温度センサにより検出された温度を記録する記録手段と、前記記録手段により記録された前記温度センサにより検出された温度の時間に関する二階微分値を演算する演算手段と、前記二階微分値と第４の閾値とを比較する比較手段と、前記二階微分値が前記第４の閾値より大きい場合には正常吐出と判定し、前記二階微分値が前記第４の閾値以下の場合には吐出不良と判定する判定手段とを有することを特徴とする。
【手続補正３】
【補正対象書類名】明細書
【補正対象項目名】００１３
【補正方法】変更
【補正の内容】
【００１３】
また本発明を別の側面から見れば、インクを吐出するための熱エネルギーを発生するヒータと温度を検出する温度センサとを有する記録ヘッドと前記ヒータを駆動する駆動手段とを備えた記録装置のインク吐出状態判定方法であって、前記駆動手段によりインクを吐出させるための第１印加電圧を印加して前記ヒータを駆動した後に、インクの吐出を生じない程度の第２印加電圧を印加して前記ヒータを駆動するよう制御する制御工程を有することを前提とし、（１）前記第２印加電圧を印加する前の第１の時刻に前記温度センサによって検出された第１の温度と前記第２印加電圧を印加した後の第２の時刻に前記温度センサによって検出された第２の温度との差分値を第１の閾値と比較する比較工程と、前記差分値が前記第１の閾値より大きい場合には吐出不良と判定し、前記差分値が前記第１の閾値以下の場合には正常吐出と判定する判定工程とを有することを特徴とするか、又は、（２）前記第２印加電圧を印加する前の第１の時刻に前記温度センサにより検出された第１の温度と前記第２印加電圧を印加した後の第２の時刻に前記温度センサにより検出された第２の温度との比率を第２の閾値と比較する比較工程と、前記比率が前記第２の閾値より大きい場合には吐出不良と判定し、前記比率が前記第２の閾値以下の場合には正常吐出と判定する判定工程とを有することを特徴とするか、又は、（３）前記第２印加電圧を印加した後の第１の時刻より、前記温度センサにより検出される温度の変化の特徴点が判断できる第２の時刻まで、前記温度センサにより検出された温度を記録する記録工程と、前記記録工程において記録された前記温度センサにより検出された温度の時間に関する一階微分値を演算する演算工程と、前記一階微分値と第３の閾値とを比較する比較工程と、前記一階微分値が前記第３の閾値より大きい場合には正常吐出と判定し、前記一階微分値が前記第３の閾値以下の場合には吐出不良と判定する判定工程とを有することを特徴とするか、又は、（４）前記第２印加電圧を印加した後の第１の時刻より、前記温度センサにより検出される温度の変化の特徴点が判断できる第２の時刻まで、前記温度センサにより検出された温度を記録する記録工程と、前記記録工程において記録された前記温度センサにより検出された温度の時間に関する二階微分値を演算する演算工程と、前記二階微分値と第４の閾値とを比較する比較工程と、前記二階微分値が前記第４の閾値より大きい場合には正常吐出と判定し、前記二階微分値が前記第４の閾値以下の場合には吐出不良と判定する判定工程とを有することを特徴とするインク吐出状態判定方法を備える。